(57)【要約】【課題】冷蔵庫の省エネ性を改善する。【解決手段】断熱材と、断熱材の前面側に位置する仕切板と、断熱材の周囲に位置するケースと、熱源と、を有する仕切体と、仕切体より前方に位置する貯蔵室扉と、を備え、仕切板は、一端側から他端側に向かうにつれてケースから離れる方向に延在し、断熱材に支持されているフランジを有する冷蔵庫。【選択図】図３
2017150770.tif 000002
【特許請求の範囲】
【請求項１】
断熱材と、該断熱材の前面側に位置する仕切板と、該断熱材の周囲に位置するケースと、熱源と、を有する仕切体と、
該仕切体より前方に位置する貯蔵室扉と、を備え、
前記仕切板は、一端側から他端側に向かうにつれて前記ケースから離れる方向に延在し、前記断熱材に支持されているフランジを有する冷蔵庫。
【請求項２】
前記フランジの一端側は、前記仕切板に接続しており、
前記フランジの他端側には、該フランジに比して傾きが水平に近い延長フランジが接続していることを特徴とする請求項１記載の冷蔵庫。
【請求項３】
前記フランジの他端側に一端が接続し、一端側から他端側に向かうにつれて前方向に延在する第２延長フランジを有し、
前記熱源の一方側に前記前面板が位置し、
前記熱源の他方側に前記第２延長フランジが位置していることを特徴とする請求項１記載の冷蔵庫。
【請求項４】
前記フランジの他端側に一端が接続し、一端側から他端側に向かうにつれて前方向に延在する第３延長フランジを有し、
該第３延長フランジは、前記前面板に接続又は略接触していることを特徴とする請求項１記載の冷蔵庫。
【発明の詳細な説明】
【技術分野】
【０００１】
本発明は、冷蔵庫に関する。
【背景技術】
【０００２】
最近は、前面が開口した箱体を仕切り体等で区画し、冷蔵貯蔵室や野菜貯蔵室，冷凍貯蔵室等の使用温度域の異なる複数の貯蔵室を備えた冷凍冷蔵庫が採用される傾向にある。区画された複数の温度帯の室それぞれは、密閉度を高めるためにパッキンが取り付けられた扉で閉鎖される。
【０００３】
仕切り体は、例えば、隣接する扉の中間位置に相当する箱体の前面開口部分に設けられている。扉を閉めた状態では、箱体の周壁や仕切り体前面にパッキンが密着して庫内の密閉状態を保つようにされている。仕切体は、庫内の冷気によって冷却される一方、仕切り体の一部は庫外の暖気に常に晒されている。庫内の冷気によって仕切り体全体が冷却されると、庫外の暖気に晒されている部分では暖気が冷却され、結露が発生するおそれがある。このため、仕切体内部には、熱を供給する結露防止パイプが配置されている。
【０００４】
上記構成の冷蔵庫について特許文献１は、冷蔵庫は、複数の扉の中間位置に相当する箱体の前面開口部分に両端を前記箱体の外壁等に固定された形状の仕切り体を設け、該仕切り体は両端の前記箱体の外壁等への固定部近傍部を除いて、凸面が前記扉に向いたほぼ逆コの字状で強磁性金属製の前面板と凸面が庫内側に向いたほぼコの字状で樹脂製の仕切り枠とを前記前面板の平行な２辺が前記仕切り枠の平行な２辺より内側になって当接するように組み合わせたほぼ矩形の断面形状であり、かつ少なくとも内部に前記前面板の凹面に押圧等により固定された結露防止用加熱体と前記仕切り枠寄りの部分の大半を占める断熱部材とを備えた構造となっている冷蔵庫、と開示している。
【０００５】
さらに、特許文献１は、前面板１５の平行な２辺と仕切り枠１６の平行な２辺との当接する部分に、前面板１５の板厚程度の薄い補強断熱部材２０が仕切り枠１６に固定される形で設置されている構成を開示しており、上記構成において、断熱材である補強断熱部材２０の熱伝導率が樹脂の仕切り枠１６の数分の一であることから全体の熱抵抗が増え、この部分からの熱侵入が少なくなり、省エネ性の向上が図れると指摘している（段落００３３、図１）。
【先行技術文献】
【特許文献】
【０００６】
【特許文献１】特開平１０−３１８６５７号公報
【発明の概要】
【発明が解決しようとする課題】
【０００７】
特許文献１は、箱体の前面開口部分に設けた仕切り体での庫内への熱侵入をシール性・強度・意匠性・生産性のいずれにも問題を生ずることなく低減させると指摘しているが、フランジへの複雑な加工（たとえば、図４の突起群２１）や、フランジと樹脂との微小な間隙に断熱材（たとえば図１の薄い補強断熱材２０）を追加するなど、生産性の観点から改善の余地がある。
【０００８】
上記事情に鑑みた本発明は、冷蔵庫の省エネ性を向上させることを目的とする。
【課題を解決するための手段】
【０００９】
上記事情に鑑みてなされた本発明は、断熱材と、該断熱材の前面側に位置する仕切板と、該断熱材の周囲に位置するケースと、熱源と、を有する仕切体と、該仕切体より前方に位置する貯蔵室扉と、を備え、前記仕切板は、一端側から他端側に向かうにつれて前記ケースから離れる方向に延在し、前記断熱材に支持されているフランジを有する冷蔵庫である。
【発明の効果】
【００１０】
本発明によれば、省エネ性を高めた冷蔵庫を提供できる。
【図面の簡単な説明】
【００１１】
【図１】実施例１の冷蔵庫の正面図
【図２】図１のＡ−Ａ断面図
【図３】実施例１の仕切体近傍の縦断面図
【図４】実施例２の仕切体近傍の縦断面図
【図５】実施例３の仕切体近傍の縦断面図
【図６】実施例４の仕切体近傍の縦断面図
【発明を実施するための形態】
【００１２】
以下、本発明の実施例について、添付の図面を参照しながら詳細に説明する。同様の構成要素には同様の符号を付し、また、同一の説明は繰り返さない。
【実施例１】
【００１３】
本実施例は、冷蔵或いは冷凍して貯蔵する冷蔵庫１に係り、特に複数の貯蔵室を仕切体によって区切られている冷凍冷蔵庫に関する。
【００１４】
（冷蔵庫１の概要）
図１は、本発明の実施例１の冷蔵庫１の正面図である。図２は、図１のＡ−Ａ断面図である。実施例１の冷蔵庫１は、複数の貯蔵室を備えている。冷蔵庫１の貯蔵室としては、上方から順に、冷蔵温度帯の冷蔵室２を、冷凍温度帯の冷凍室３の一例である製氷室３１、上段冷凍室３２、下段冷凍室３３を、また、冷蔵温度帯の野菜室４を、備えている。製氷室３１と上段冷凍室３２は左右に並んで配置されている。冷蔵室２は前面側に左右に分割された観音開きの冷蔵室扉２ａ、２ｂを備え、製氷室３１と、上段冷凍室３２と、下段冷凍室３３と、野菜室４とは、それぞれ引き出し式の製氷室扉３１ａ、上段冷凍室扉３２ａ、下段冷凍室扉３３ａ、野菜室扉４ａを備えている。各扉２ａ，２ｂ，３１ａ，３２ａ，３３ａ，４ａを開閉することで、各貯蔵室の開口をそれぞれ開放又は閉塞できる。なお、各扉が閉塞する際に開口の周壁に接する領域や、後述する仕切体に接する領域には、閉塞補助部の一例であるパッキンが取付けられている。閉塞補助部は、各扉の閉塞時に各扉が接する周壁や仕切体等に各扉を密着させて、各貯蔵室の庫外に対する密閉性を高めることができる。
【００１５】
冷蔵室２と冷凍室３とは断熱仕切体２３によって区画されており、また、冷凍室３と野菜室４は、冷凍室３及び野菜室４の間に設けられた断熱仕切体３４によって区画されている。断熱仕切体２３，３４は低熱伝導率の部材であり、これを設けることで、冷蔵室温度帯の貯蔵室及び冷凍室温度帯の貯蔵室間の熱移動を抑制し、温度帯の異なる室にできる。
【００１６】
また、製氷室３１と上段冷凍室３２と下段冷凍室３３との間には、冷蔵庫１前方の一部分に設けられた仕切体５０と仕切体４０それぞれが設けられている。仕切体５０は、上下方向について、製氷室扉３１ａ又は上段冷凍室扉３２ａと、下段冷凍室扉３３ａとの間に設けることができる。これにより、製氷室扉３１ａ、上段冷凍室扉３２ａ、及び下段冷凍室扉３３ａそれぞれは、仕切体５０に好ましくは閉塞補助部を介して接触するため、製氷室３１、上段冷凍室３２、及び下段冷凍室３３のそれぞれを効果的に閉塞できる。
【００１７】
また、仕切体４０は、製氷室３１と上段冷凍室３２との間に設けることができる。仕切体４０は、仕切体５０と同様にして、製氷室３１と上段冷凍室３２とのそれぞれを効果的に閉塞できる。
【００１８】
（仕切体の詳細）
図３は仕切体５０近傍の断面拡大図である。以下では、扉３２ａ，３３ａの間に対する仕切体５０の関係について説明するが、同様の関係は、扉３１ａ，３３ａの間に対しても成立できる。
【００１９】
仕切体５０は前面において扉３２ａと３３ａのパッキン３２ａ１，３３ａ１と当接し、扉３２ａ，３３ａによる貯蔵室の閉塞を補助する。
【００２０】
仕切体５０は、仕切板５１０、ケースとしての樹脂部材５２０、断熱材５３０、及び熱源の一例としての結露抑制パイプ５４０を備えている。熱源としては、他に電熱線等を採用できる。
【００２１】
断熱材５３０は、仕切体５０の内部に配されており、例えば発泡スチロールを採用できる。断熱材５３０の周囲には仕切板５１０及び樹脂部材５２０が設けられており、仕切板５１０は仕切体５０の前面として位置し、樹脂部材５２０は仕切体５０の上面、背面、下面及び側面として位置している。なお、ケースとして樹脂以外の材料を用いても良い。
【００２２】
仕切板５１０は、扉３２ａ，３３ａの閉塞時にパッキン３２ａ１，３３ａ１に接触する位置に設けられている。仕切板５１０は主に磁性体で成型されており、パッキン３２ａ１，３３ａ１内に配された永久磁石（不図示）との間で吸引力を生じる。このため、仕切板５０ａは、パッキン３２ａ１，３３ａ１との密着を通じて、扉３２ａ，３３ａの閉塞を効果的に行える。
【００２３】
仕切板５１０は、仕切体５０の前面としてパッキン３２ａ１，３３ａ１に接触する前面板５１１と、前面板５１１に接続しており前面板５１１より後方側に延びる２つのフランジ５１２と、を有している。また、仕切板５１０の背面側には、比較的高温の冷媒が通過する結露抑制パイプ５４０が配されている。
【００２４】
結露抑制パイプ５４０は比較的高温になるため、その熱により仕切板５１０が加熱されることで、仕切板５１０に結露の発生を抑制している。断熱材５３０は結露抑制パイプ５４０から発生する熱が冷凍室３に侵入することを抑制する効果がある。
【００２５】
前面板５１１は冷蔵庫１の上下方向に延びており、フランジ５１２は前面板５１１から略つながっていて、断熱材５３０に支持されている。前面板５１１と２つのフランジ５１２それぞれのなす角度θ１，θ２は鋭角となっている。このため、フランジ５１２は仕切体５０の外殻を形成する樹脂部材５２０から離間しており、また、樹脂部材５２０とフランジ５１２の間には断熱材５３０の一部が配されているため、結露抑制パイプ５４０によって前面板５１１が加熱されても、フランジ５１２から庫内側への熱侵入を抑制でき省エネ性向上に効果がある。
【００２６】
また、仕切板５１０は、例えば平面板状の前面板５１１の両側を折り曲げることで容易に製造できるため、生産性を向上しつつ省エネ性の向上を図ることができる。
なお、結露抑制パイプ５４０に代えて、電熱線等、公知の熱源を設けても良い。
【実施例２】
【００２７】
実施例２は、以下の点を除き実施例１と同様の構成にできる。図４は実施例２の仕切体５０近傍の断面拡大図である。本実施例の仕切板５１０は、延長フランジ５１３を備えている。フランジ５１２は、一端側が前面板５１１に接続しており、他端側が延長フランジ５１３に接続している。延長フランジ５１３の傾きは、フランジ５１２に比して水平に近く、断熱材５３０に支持されている。延長フランジ５１３を追加することによって、断熱材５３０と接触する面積が増加し、庫内側への熱侵入をさらに低減できると同時に、仕切り体の強度向上が見込める。
【実施例３】
【００２８】
実施例３は、以下の点を除き実施例１と同様の構成にできる。図５は実施例３の仕切体５０近傍の断面拡大図である。本実施例の仕切板５１０は、第２延長フランジ５１４を備えている。フランジ５１２は、一端側が前面板５１１に接続しており、他端側が第２延長フランジ５１４に接続している。フランジ５１２の他端は、結露抑制パイプ５４０よりも後方側に位置しており、第２延長フランジ５１４は、フランジ５１２の他端側から前方に向かうように設けられている。このようにすることで、第２延長フランジ５１４は、結露抑制パイプ５４０に対して前面板５１０の反対側に位置することになり、結露抑制パイプ５４０から効果的に受熱できる。すなわち、仕切板５１０の表面への伝熱性が向上し、結露抑制効果の向上が見込める。
【実施例４】
【００２９】
実施例４は、以下の点を除き実施例１と同様の構成にできる。図６は実施例４の仕切体５０近傍の断面拡大図である。本実施例の仕切板５１０は、第３延長フランジ５１５を備えている。フランジ５１２は、一端側が前面板５１１に接続しており、他端側が第３延長フランジ５１５に接続している。第３延長フランジ５１５は、フランジ５１２の他端側から前方に向かうように設けられている。第３延長フランジ５１５の一端側はフランジ５１２の他端側に接続しており、第３延長フランジ５１５の他端側は前面板５１１に接触又は略接触している。前面板５１０とフランジ部５１２と第３延長フランジ５１５とによって略三角形が構成されるようにすることで、結露抑制パイプ５４０からの伝熱が、三角形状の中で循環するため、前面板５１０の温度をより上昇させ、仕切り体５１０への結露抑制効果の向上を見込める。
【００３０】
結露抑制パイプ５４０は、この略三角形の外部に位置している。このため、結露抑制パイプ５４０と庫内の距離をより隔てることができ、熱侵入を抑制する効果がある。
【００３１】
上記において、前面板５１１とフランジ部５１２と第３延長フランジ５１５によって三角形を形成すると述べたが、さらに部材等を追加することによって四角形以上の多角形を形成することでも、同様の効果を得られる見込みである。
【符号の説明】
【００３２】
１                    冷蔵庫
２                    冷蔵室
３                    冷凍室
４                    野菜室
３１                  製氷室
３２                  上段冷凍室
３３                  下段冷凍室
２３                  冷蔵室―冷凍室仕切体
３４                  冷凍室―野菜室仕切体
４０                  製氷室―冷凍室仕切体
５０                  冷凍室仕切体
２ａ                  冷蔵室左扉
２ｂ                  冷蔵室右扉
３１ａ                製氷室扉
３２ａ                上段冷凍室扉
３３ａ                下段冷凍室扉
４ａ                  野菜室扉
３２ａ                上段冷凍室扉パッキン
３３ａ                下段冷蔵室扉パッキン
５１０                仕切板
５１１                前面板
５１２                フランジ
５１３                延長フランジ
５１４                第２延長フランジ
５１５                第３延長フランジ
θ                    前面板とフランジのなす角
５２０                ケース（樹脂部材）
５３０                断熱材
５４０                熱源（結露抑制パイプ）
【図１】
2017150770.tif 000003
【図２】
2017150770.tif 000004
【図３】
2017150770.tif 000005
【図４】
2017150770.tif 000006
【図５】
2017150770.tif 000007
【図６】
2017150770.tif 000008